(57)【要約】【課題】支柱を高くすることなく屋根下の有効高さを十分に確保すると共に、梁の存在を目立たなくして、外観の良好な雨除け構築物を提供する。【解決手段】屋根枠体に屋根板材２２を配設して屋根体２を形成し、該屋根体２を支柱に取付けた梁６によって支持する雨除け構築物において、屋根板材２２の側縁と梁６の側縁に連結部（６３，２２１，２２２）を形成し、該連結（６３，２２１，２２２）部を介して隣接する梁６と屋根板材２２を連設し、屋根板材２２の下面と梁６の下面を略面一として屋根体２の下面を形成する。【選択図】        図１
2004250929.tif 000002
【特許請求の範囲】
【請求項１】
屋根枠体に屋根板材を配設して屋根体を形成し、該屋根体を支柱に取付けた梁によって支持する雨除け構築物において、屋根板材の下面と梁の下面を略面一として屋根体の下面を形成したことを特徴とする雨除け構築物。
【請求項２】
屋根枠体に屋根板材を配設して屋根体を形成し、該屋根体を支柱に取付けた梁によって支持する雨除け構築物において、屋根板材の側縁と梁の側縁に連結部を形成し、該連結部を介して隣接する梁と屋根板材を連設し、屋根板材の下面と梁の下面を略面一として屋根体の下面を形成したことを特徴とする雨除け構築物。
【発明の詳細な説明】
【０００１】
【発明の属する技術分野】
この発明は、自動車用車庫、自転車置場、バスの停留所等に設置される雨除け構築物に関するものであり、特に支柱の上部に連結された梁によって屋根体を支持する雨除け構築物に関するものである。
【０００２】
【従来の技術】
従来、枠組された屋根枠体内に屋根板材を配設して屋根体を形成し、施行場所に立設した支柱の上端に梁を取付け、梁の上部に前記屋根体を載置した雨除け構築物が知られている（例えば、特許文献１参照）。
また、上記従来技術と同様に、枠組された屋根枠体内に屋根板材を配設して屋根体を形成し、この屋根体の一側を施行場所に立設した支柱の中間位置に連結し、他側を支柱の上端に連結した吊下げ部材に連結した雨除け構築物が知られている（特許文献２参照）。
【０００３】
しかしながら、特許文献１に示される雨除け構築物は、屋根体の下方に梁が突出しているので、屋根下の有効高さを十分に確保することができず、屋根体の下面の形状が複雑となり、外観を悪化させるものであった。
【０００４】
一方、特許文献２に示される雨除け構築物は、屋根体の下方に梁が突出しないので、屋根下の有効高さを高くすることができ、屋根体の下面の外観を良好なものとすることができる。
しかし、屋根体の他側を吊下げ部材によって吊持しているので、支柱の高さを屋根体の位置よりも高くしなければならず、背丈の高い支柱を立設する必要があり、設置場所が制限されたり、施工作業に手間を要するものであった。
【０００５】
【特許文献１】
特開平７−２９２７７７号公報
【０００６】
【特許文献２】
特開平６−１７５４９号公報
【０００７】
【発明が解決しようとする課題】
この発明の目的は、支柱を高くすることなく屋根下の有効高さを十分に確保すると共に、梁の存在を目立たなくして、外観の良好な雨除け構築物を提供することを目的とする。
【０００８】
【課題を解決するための手段】
本発明者等は、このような事情に鑑み鋭意検討を重ねた結果、屋根枠体に屋根板材を配設して屋根体を形成し、該屋根体を支柱に取付けた梁によって支持する雨除け構築物において、屋根板材の下面と梁の下面を略面一として屋根体の下面を形成したことによって、所期の目的を達成したものである。
【０００９】
より具体的には、屋根枠体に屋根板材を配設して屋根体を形成し、該屋根体を支柱に取付けた梁によって支持する雨除け構築物において、屋根板材の側縁と梁の側縁に連結部を形成し、該連結部を介して隣接する梁と屋根板材を連設し、屋根板材の下面と梁の下面を略面一として屋根体の下面を形成した雨除け構築物である。
【００１０】
本発明の実施に当たって、屋根板材と梁は同材質、同色塗装とし且つ同じ幅に形成したものを用いることにより、屋根板材と梁が連続する良好な外観を得ることができる。
【００１１】
【作用】
この発明によれば、屋根板材の下面と梁の下面を略面一として屋根体の下面を形成しているので、梁が屋根体の一部を構成し、コンパクトな外観の屋根体とすることができる。また、屋根体の下方に梁が突出していないので、屋根下の有効高さを十分に確保することができる。
【００１２】
【発明の実施の形態】
以下、発明の実施の形態を実施例に基づき説明する。
図１ないし９は本発明雨除け構築物１の実施例であり、図中２は雨除け構築物１の屋根体を表わし、屋根体２は設置場所に立設された支柱３と、下端部が支柱３に固着された方杖４の上部に架設されている。屋根体２の周囲は、屋根枠体２１により形成されており、屋根枠体２１を形成する前枠２１１と後枠２１２の間に屋根板材２２が平行に架設されている。なお、２１３は屋根枠体２１の左右側枠である。
【００１３】
屋根板材２２はアルミニウム製の押出形材により形成されており、その両側縁には隣接する屋根板材２２同士を連結する連結部が形成されている。具体的には、一側縁に上部嵌合縁２２１が形成され、他側縁に下部被嵌合縁２２２が形成されている。そして隣接する一方の屋根板材２２の下部被嵌合縁２２２に、他方の屋根板材２２の上部嵌合縁２２１が嵌合して屋根板材２２が連接され、各屋根板材２２の前後端が前枠２１１と後枠２１２にビス５を用いて固着されている。
【００１４】
各支柱３の上部には、梁６の後端部が取付けられている。詳しくは、支柱３の上端に、筒状の連結部材７が螺子７１を用いて固着し、該連結部材７の上部に略Ｌ字状の連結ブラケット７２が螺子７３を用いて固着し、連結部材７と連結ブラケット７２を梁６の後端部に形成した切欠６１に挿入し、連結ブラケット７２を梁６の上面壁６２に螺子８を用いて固着し、支柱３と梁６の連結が完了する。梁６はアルミニウム製の押出形材により形成されており、屋根板材２２と同色に塗装したものが使用され、梁６の幅も屋根板材２２と略同じ幅に形成されている。
【００１５】
後枠２１２は、隣接する支柱３，３間の距離に相当する長さに形成され、上方が開口した雨水の流れる樋部２１２１が一体的に形成されている。樋部２１２１を流れる雨水は、後枠２１２に連結された竪樋を通過して、下方に排出される。後枠２１２の両端部は、連結部材７の側部に螺子９１を用いて固着した略Ｌ字状の受金具９の上面に載置され、螺子９２を用いて固着される。
【００１６】
梁６の側縁には、屋根板材２２の下部被嵌合縁２２２と同一あるいは対称形状となる連結部としての下部被嵌合縁６３が一体的に形成され、梁６に隣接する屋根板材２２の上部嵌合縁２２１が下部被嵌合縁６３に嵌合し、梁６の両側に屋根板材２２が連接される。なお、本実施例において、梁６の側縁には下部被嵌合縁６３のみが形成されているので、梁６の一側に隣接する屋根板材２２は、両側縁に上部嵌合縁２２１のみが形成されたものとなっている。
【００１７】
図１に示すとおり、連接された屋根板材２２の下面と梁６の下面は、略面一となっており、梁６が屋根体２の下方に突出せず、屋根下の有効高さを十分に確保することができ、梁６と屋根体２が一体となったコンパクトな外観を呈するものである。また、梁６と屋根板材２２の幅も略同じ寸法に合わせているので、屋根体２の下面からは梁６の存在を認識することができず、同じ形状の屋根板材２２が連続しているような外観が得られる。
【００１８】
梁６の中間位置には、方杖４の上端部に内挿して固着された連結部材１０の先端が螺子１０１を用いて固着され、梁６と方杖４が連結されている。方杖４の下端部は、支柱３に沿って配置され、連結ボルト１１によって、支柱３に固着されている。なお、方杖４は屋根体２の支持力を高めるために用いたものであり、支柱３と梁６の連結強度が満足できるものであれば、特に設ける必要は無い。図中４１は、梁６と方杖４の連結部を覆い隠すカバーであり、ビス４２を用いて連結部材１０に取付けられる。
【００１９】
以上の構成からなる本発明雨除け構築物１を組立順に説明すると、先ず施工場所に支柱３を立設し、次いで方杖４が連結ボルト１１を用いて支柱３の下部に固着され、各支柱３の上端部に連結部材７を取付け、連結部材７の側面に固着した受金具９の上面に後枠２１２の端部を取付け、連結部材７の連結ブラケット７２を梁６の後端部に形成した切欠６１に挿入して、梁６と連結ブラケット７１を螺子８により連結し、さらに方杖４の上端部に固着した連結部材１０と梁６の中間位置を連結する。
次に梁６の先端に前枠２１１を取付け、梁６の下部被嵌合縁６３に隣接する屋根板材２２の上部嵌合縁２２１を嵌合すると共に、隣接する屋根板材２２の上部嵌合縁２２１と下部被嵌合縁２２２を相互に嵌合して屋根板材２２を連接し、前枠２１１と後枠２１２の間に屋根板材２２を架設し、各屋根体２２の前後端を前枠２１１と後枠２１２にビス５を用いて固着し、雨除け構築物１の組立作業が完了する。
【００２０】
上記実施例において、隣接する屋根板材２２を上部嵌合縁２２１と下部被嵌合縁２２２の嵌合構造により連接したが、隣接する屋根板材２２の側縁同士が連結できる構成であれば、種々の形状のものを利用することができる。また、梁６の側縁に形成した下部被嵌合縁６３についても同様であり、屋根板材２２の側縁と連結できる構成であれば、種々の形状のものを利用することができる。
また、図８に示した雨除け構築物１は、支柱を３本立設したものが示されているが、支柱の数が２本あるいは４本以上であっても構わない。
【００２１】
【発明の効果】
本発明雨除け構築物によれば、屋根板材の下面と梁の下面を略面一として屋根体の下面を形成しているので、梁が屋根体の一部を形成し、コンパクトな外観の屋根体とすることができ、梁が屋根体の下方に突出しないので、屋根下の有効高さを十分に確保することができる等実施上の効果は多大である。
【図面の簡単な説明】
【図１】本発明雨除け構築物の屋根体の要部を表す断面図
【図２】本発明雨除け構築物の屋根体の要部を表す平面図
【図３】図２におけるＡ−Ａ線断面図
【図４】本発明雨除け構築物の支柱と方杖の連結部分を表す断面図
【図５】図２におけるＢ−Ｂ線断面図
【図６】本発明雨除け構築物の支柱と後枠の連結部分を表す分解斜視図
【図７】本発明雨除け構築物の支柱と梁の連結部分を表す分解斜視図
【図８】本発明雨除け構築物の正面図
【図９】本発明雨除け構築物の側面図
【符号の説明】
１      雨除け構築物
２      屋根体
３      支柱
５      戸当り支柱
６      梁
２２      屋根板材
６３      下部被嵌合縁（連結部）
２２１      上部被嵌合縁（連結部）
２２２      下部被嵌合縁（連結部）
【図１】
2004250929.tif 000003
【図２】
2004250929.tif 000004
【図３】
2004250929.tif 000005
【図４】
2004250929.tif 000006
【図５】
2004250929.tif 000007
【図６】
2004250929.tif 000008
【図７】
2004250929.tif 000009
【図８】
2004250929.tif 000010
【図９】
2004250929.tif 000011